(57)【要約】【課題】圧縮機に接続するリード線が圧縮機とターミナルカバーとの間に挟まる恐れがなく、リード線の損傷を防止できる空気調和機の室外機を提供する。【解決手段】上シェル４を有する圧縮機２と、ターミナルカバー３を備え、ターミナルカバー３は、ケース部１２と、ケース部１２に着脱自在の蓋部１３の２部品から構成され、ケース部１２は、上シェル４に設けられた端子部５を覆おう端子収納部６と、上シェル４に設けられたスタットボルト７を挿入してナット８で固定する穴部９と、端子部５に接続したリード線１０を取り出す取り出し口１１とを備え、蓋部１３で、端子収納部６と取り出し口１１の上部を覆うもので、リード線１０がケース部１２と圧縮機２との間に挟まっていないことを確認した後、蓋部１３を取り付けることが出来るため、リード線１０がターミナルカバー３と圧縮機２との間に挟まることが無い。【選択図】図３
2011021784.tif 000002
【特許請求の範囲】
【請求項１】
上シェルを有する圧縮機と、ターミナルカバーを備え、前記ターミナルカバーは、ケース部と、前記ケース部に着脱自在の蓋部の２部品から構成され、前記ケース部は、上シェルに設けられた端子部を覆おう端子収納部と、前記上シェルに設けられたスタットボルトを挿入してナットで固定する穴部と、前記端子部に接続したリード線を取り出す取り出し口とを備え、前記蓋部で、前記端子収納部と前記取り出し口の上部を覆うようにした空気調和機の室外機。
【請求項２】
ケース部と蓋部のいずれか一方に、他方を係止する複数個の係止爪を設けたことを特徴とする請求項１に記載の空気調和機の室外機。
【請求項３】
ケース部と蓋部をねじ嵌合させたことを特徴とする請求項１に記載の空気調和機の室外機。
【発明の詳細な説明】
【技術分野】
【０００１】
本発明は、空気調和機の室外機に関するもので、特に、圧縮機の端子部を覆うターミナルカバーを備えた空気調和機の室外機に関するものである。
【背景技術】
【０００２】
従来、この種の空気調和機の室外機は、圧縮機と送風機を備え、圧縮機の上シェルに設けられた端子部にリード線が接続される。またリード線を接続した圧縮機の端子部には、水分や、埃等の侵入防止のため、ターミナルカバーが設けられている（例えば、特許文献１参照）。
【０００３】
図８は、上記特許文献１に記載された従来の空気調和機の室外機の前面板を除いた斜視図を示すもので、図９は、同室外機に搭載された圧縮機の斜視図である。
【０００４】
図８、図９に示すように、従来の空気調和機の室外機２０は、圧縮機２１と、圧縮機２１のターミナルカバー２２を備え、前記ターミナルカバー２２は、圧縮機２１の上シェル２３に設けられた端子部２４を覆おう端子収納部２５と、前記上シェル２３に設けられたスタットボルト２６を挿入してナット２７で固定する穴部２８と、前記端子部２４に接続したリード線２９の取り出し口３０から構成されている。
【先行技術文献】
【特許文献】
【０００５】
【特許文献１】特開２００２−５０１９号公報
【発明の概要】
【発明が解決しようとする課題】
【０００６】
しかしながら、上記従来の空気調和機の室外機２０の構成では、圧縮機２１の端子部２４に接続したリード線２９を、ターミナルカバー２２の取り出し口３０から取り出し、ターミナルカバー２２を圧縮機２１のスタットボルト２３にナット２７で固定するが、ターミナルカバー２２を取り付ける際、リード線２９をターミナルカバー２２と圧縮機２１との間に挟みこむ恐れがあり、はさまないように注意して作業する必要があるが、近年室外機２０の小型化高性能化に伴い圧縮機２１の回りにも配管や電気部品等の他の部品が密に配置されているため作業スペースが狭くターミナルカバー２２を取り付ける際、注意して作業しても、はさみこんでしまう場合があった。
【０００７】
また、挟みこんだ場合、ターミナルカバー２２の奥の背後は、作業者からは見えず、挟み込んでいることを確認することが出来ない。さらにナット２７で上部から締め付けることが可能なため、挟みこんだことに、作業者が気づかずそのまま出荷してしまうことがあり、リード線２９が損傷する恐れがある等の課題を有していた。
【０００８】
さらに、圧縮機２１の点検時には、ナット２７を外してターミナルカバー２２を取りはずす必要があり、サービス性が悪いという課題を有していた。
【０００９】
本発明は、上記従来の課題を解決するもので、安価な構成で、圧縮機に接続したリード線がターミナルカバーと圧縮機との間に挟まり損傷するのを防止し、挟みこんだ場合でも、作業者が気づき、そのまま出荷してしまうのを防止し、圧縮機の点検時にサービス性のよい空気調和機の室外機を提供することを目的とするものである。
【課題を解決するための手段】
【００１０】
前記従来の課題を解決するために、本発明の空気調和機の室外機は、上シェルを有する圧縮機と、ターミナルカバーを備え、前記ターミナルカバーは、ケース部と、前記ケース部に着脱自在の蓋部の２部品から構成され、前記ケース部は、上シェルに設けられた端子部を覆おう端子収納部と、前記上シェルに設けられたスタットボルトを挿入してナットで固定する穴部と、前記端子部に接続したリード線を取り出す取り出し口とを備え、前記蓋部で、前記端子収納部と前記取り出し口の上部を覆うようにしたもので、ターミナルカバーの取り付け時は、まず圧縮機の端子部にリード線を接続し、ターミナルカバーのケース部の穴部をスタットボルトに通し、ナットで固定した後、蓋部を取り付けることが出来る。そのため、リード線がターミナルカバーのケース部と圧縮機との間に挟まっていないことを確認した後、蓋部を取り付けることが出来るため、またターミナルカバーのケース部を先に取り付け、その後でリード線を取り付けることも可能になるため、リード線がターミナルカバーと圧縮機との間に挟まり損傷する恐れがない。また、圧縮機の点検時には蓋部のみを外して端子部を簡単に点検でき、サービス性がよい。
【発明の効果】
【００１１】
本発明の空気調和機の室外機は、安価な構成で、圧縮機に接続したリード線がターミナルカバーと圧縮機との間に挟まり損傷するのを防止し、圧縮機の点検時には蓋部のみを外して端子部を点検できるのでサービス性がよい。
【図面の簡単な説明】
【００１２】
【図１】本発明の第１の実施の形態における空気調和機の室外機の前面板を除いた斜視図
【図２】同室外機の圧縮機にターミナルカバーを装着した要部斜視図
【図３】同圧縮機のターミナルカバー取り付け部の分解斜視図
【図４】本発明の第２の実施の形態における空気調和機の室外機のターミナルカバーの斜視図
【図５】同ターミナルカバーの要部断面図
【図６】本発明の実施の形態３における空気調和機の室外機のターミナルカバーの分解斜視図
【図７】同ターミナルカバーの要部断面図
【図８】従来の空気調和機の室外機の前面板を除いた斜視図
【図９】同室外機に搭載された圧縮機の斜視図
【発明を実施するための形態】
【００１３】
第１の発明は、上シェルを有する圧縮機と、ターミナルカバーを備え、前記ターミナルカバーは、ケース部と、前記ケース部に着脱自在の蓋部の２部品から構成され、前記ケース部は、上シェルに設けられた端子部を覆おう端子収納部と、前記上シェルに設けられたスタットボルトを挿入してナットで固定する穴部と、前記端子部に接続したリード線を取り出す取り出し口とを備え、前記蓋部で、前記端子収納部と前記取り出し口の上部を覆うようにしたもので、ターミナルカバーの取り付け時は、まず圧縮機の端子部にリード線を接続し、ターミナルカバーのケース部の穴部をスタットボルトに通し、ナットで固定した後、蓋部を取り付けることが出来る。そのため、リード線がターミナルカバーのケース部と圧縮機との間に挟まっていないことを確認した後、蓋部を取り付けることが出来るため、またターミナルカバーのケース部を先に取り付け、その後でリード線を取り付けることも可能になるため、リード線がターミナルカバーと圧縮機との間に挟まり損傷する恐れがない。また、圧縮機の点検時には蓋部のみを外して端子部を簡単に点検でき、サービス性がよい。
【００１４】
第２の発明は、特に、第１の発明のケース部と蓋部のいずれか一方に、他方を係止する
複数個の係止爪を設けたもので、ケース部と蓋部の着脱作業において、蓋部分を簡単に着脱することができ、またケース部と蓋部が係止爪により係合するため、ケース部と蓋部の間にリード線が挟まった場合、係止爪で係合することができないので、ターミナルカバーの蓋部の取り付け作業が容易で、リード線の挟みこみ防止が可能な空気調和機の室外機を提供できる。
【００１５】
第３の発明は、特に、第１の発明のケース部と蓋部をねじ嵌合させたもので、ケース部と蓋部の着脱作業において、蓋部を簡単に着脱することができる、またケース部と蓋部がねじ嵌合により係合するため、ケース部と蓋部にリード線が挟まった場合、ねじ嵌合ができないので、ターミナルカバーの蓋部の取り付け作業が容易で、リード線の挟みこみ防止が可能な空気調和機の室外機を提供できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の室外機の前面板を除いた斜視図で、図２は、同室外機の圧縮機にターミナルカバーを装着した要部斜視図、図３は、同圧縮機のターミナルカバー取り付け部の分解斜視図である。
【００１８】
図１、図２、図３において、従来の空気調和機の室外機１は、圧縮機２と、圧縮機２のターミナルカバー３を備え、前記ターミナルカバー３は、圧縮機２の上シェル４に設けられた端子部５を覆おうケース部１２と、蓋部１３の２部品から構成されて、ケース部１２は、圧縮機２の上シェル４に設けられた端子部５を覆おう端子収納部６と、前記上シェル４に設けられたスタットボルト７を挿入してナット８で固定する穴部９と、前記端子部５に接続したリード線１０の取り出し口１１とを備え、蓋部１３は、前記端子収納部６と前記リード線１０の取り出し口１１の上部を覆うものである。
【００１９】
以上のように構成された本実施の形態における空気調和機の室外機について、以下その動作、作用を説明する。
【００２０】
実際の結線作業は、圧縮機２の上シェル４に設けられた端子部５に、リード線１０を接続する。次に、ターミナルカバー３のケース部１２の穴部９を、スタットボルト７に挿入してナット８で固定する。その後、リード線１０をターミナルカバー３のケース部１２のリード線１０の取り出し口１１から取り出し、端子収納部６とリード線１０の取り出し口１１の上部を覆う蓋部１３をケース部１２に取り付ける。
【００２１】
以上のように、本実施の形態においては、ターミナルカバー３は、圧縮機２の上シェル４に設けられた端子部５を覆おう端子収納部６と前記上シェル４に設けられたスタットボルト７を挿入してナット８で固定する穴部９と前記端子部５に接続したリード線１０の取り出し口１１とを備えたケース部１２と、前記端子収納部６と前記リード線１０を取り出す取り出し口１１の上部を覆う蓋部１３の２部品から構成され、さらに、ケース部１２と蓋部１３は着脱可能になっているので、ターミナルカバー３のケース部１２の穴部９を、圧縮機２のスタットボルト７に通し、ナット８で固定した後、リード線１０がターミナルカバー３のケース部１２と圧縮機２との間に挟まっていないことを確認した後、蓋部１３を取り付けることが出来る。
【００２２】
またリード線１０の取り出し口１１の上部が開放されているため、ケース部１２の取り付け作業時には、リード線１０は、ケース部１２の奥側のみ注意してケース部１２と圧縮機２との間にリード線１０を挟みこまないようにすればよく、容易に挟み込みを防止する
ことができ、リード線１０が圧縮機２とターミナルカバー３との間に挟まり損傷する恐れがなく、圧縮機２の点検時には、蓋部１３のみを外して端子部５を点検できるサービス性の良い空気調和機の室外機を提供することができる。なお、本実施の形態では、リード線１０を取り付けてからケース部１２を取り付けたが、ケース部１２を取り付けてから、リード線１０を取り付けることも可能である。
【００２３】
（実施の形態２）
図４は、本発明の第２の実施の形態における空気調和機の室外機のターミナルカバーの斜視図で、図５は、同ターミナルカバーの要部断面図である。なお、上記第１の実施の形態における空気調和機の室外機のターミナルカバーと同一部分については、同一符号を付してその説明を省略する。
【００２４】
本実施の形態は、図４と図５に示すように、ケース部１２に複数個の係止爪１４を一体に設け、ターミナルカバー３のケース部１２と蓋部１３を複数個の係止爪１４で係合するようにしたものである。
【００２５】
上記構成により、ケース部１２と蓋部１３の接続作業において、蓋部１３を簡単に接続することができる。またケース部１２と蓋部１３が係止爪１４により係合するため、ケース部１２と蓋部１３にリード線１０が挟まった場合、係止爪１４を係合することができないので、ターミナルカバー３の蓋部１３の取り付け作業が容易で、しかもリード線１０の挟みこみ防止ができる。
【００２６】
なお、上記実施の形態では、ケース部１２に設けた係止爪１４で、蓋部１３を係止したが、蓋部１３側に、ケース部１２に係止できる係止爪１４を一体に設けても良い。
【００２７】
（実施の形態３）
図６は、本発明の第３の実施の形態における空気調和機の室外機のターミナルカバーの分解斜視図で、図７は、同ターミナルカバーの要部断面図である。なお、上記実施の形態におけるターミナルカバーと同一部分については同一符号を付してその説明を省略する。
【００２８】
本実施の形態は、図６と図７に示すように、ターミナルカバー３のケース部１２の上端に雄ねじ１５を形成し、蓋部１３の内壁に雄ねじ１５にねじ嵌合する雌ねじ１６を形成し、ターミナルカバー３のケース部１２と蓋部１３を、雄ねじ１５と雌ねじ１６のねじ嵌合で脱着できるようにしたものである。
【００２９】
上記構成により、ケース部１２と蓋部１３の着脱作業において、蓋部１３を簡単に着脱することができる、またケース部１２と蓋部１３が雄ねじ１５と雌ねじ１６により係合するため、万が一、ケース部１２と蓋部１３との間にリード線１０が挟まった場合、雄ねじ１５と雌ねじ１６とのねじ嵌合ができないので、ターミナルカバー３の蓋部１３の取り付け作業が容易でリード線１０の挟みこみを確実に防止できる。
【産業上の利用可能性】
【００３０】
以上のように、本発明に係る空気調和機の室外機は、安価な構成で、圧縮機に接続したリード線がターミナルカバーと圧縮機との間に挟まり損傷するのを防止し、圧縮機の点検時には、蓋部のみを外して端子部を点検できるのでサービス性がよく、圧縮機を内蔵するヒートポンプ式給湯機のなどにも適用できる。
【符号の説明】
【００３１】
１  室外機
２  圧縮機
３  ターミナルカバー
４  上シェル
５  端子部
６  端子収納部
７  スタットボルト
８  ナット
９  穴部
１０  リード線
１１  取り出し口
１２  ケース部
１３  蓋部
１４  係止爪
１５  雄ねじ
１６  雌ねじ
【図１】
2011021784.tif 000003
【図２】
2011021784.tif 000004
【図３】
2011021784.tif 000005
【図４】
2011021784.tif 000006
【図５】
2011021784.tif 000007
【図６】
2011021784.tif 000008
【図７】
2011021784.tif 000009
【図８】
2011021784.tif 000010
【図９】
2011021784.tif 000011